(57)【要約】【課題】カラオケを円滑に利用できるカラオケ提供方法を提供する。【解決手段】カラオケ装置が、携帯端末からユーザＩＤを受付けて、その認証を行う認証ステップと、認証が成功した場合に、カラオケを使用可能状態とするとともに、前記携帯端末からの遠隔操作を受付可能状態とし、前記携帯端末に品書きを送信する初期化ステップと、前記携帯端末から前記品書きに含まれる品の注文を受付けて、注文のあった品の情報を出力する注文出力ステップと、注文のあった品及びカラオケの利用に係る料金を計算する料金計算ステップと、計算した料金を前記ユーザＩＤのユーザに課金する課金ステップと、を少なくとも実行する。【選択図】図７
2010112982.tif 000002
【特許請求の範囲】
【請求項１】
カラオケ装置が、
携帯端末からユーザＩＤを受付けて、その認証を行う認証ステップと、
認証が成功した場合に、カラオケを使用可能状態とするとともに、前記携帯端末からの遠隔操作を受付可能状態とし、前記携帯端末に品書きを送信する初期化ステップと、
前記携帯端末から前記品書きに含まれる品の注文を受付けて、注文のあった品の情報を出力する注文出力ステップと、
注文のあった品及びカラオケの利用に係る料金を計算する料金計算ステップと、
計算した料金を前記ユーザＩＤのユーザに課金する課金ステップと、
を少なくとも実行することを特徴とするカラオケ提供方法。
【請求項２】
前記カラオケ装置が、さらに、
カラオケに係る音声、画像又は映像を記録するカラオケ記録ステップと、
前記携帯端末からカラオケに係る音声、画像又は映像の取得要求を受付けて、記録した前記取得要求に係る音声、画像又は映像を前記携帯端末に送信する記録情報送信ステップと、
を実行することを特徴とする請求項１に記載のカラオケ提供方法。
【請求項３】
前記カラオケ装置が、さらに、
前記携帯端末からカラオケに係る音声、画像又は映像のアップロード要求を受付けて、記録した前記アップロード要求に係る音声、画像又は映像を、前記アップロード要求で指定されたウェブサイトにアップロードするアップロードステップを実行することを特徴とする請求項２に記載のカラオケ提供方法。
【請求項４】
前記カラオケ装置が、さらに、
マイクから入力された音声を採点するカラオケ採点ステップと、
前記携帯端末から採点結果の取得要求を受付けて、前記採点結果を前記携帯端末に送信する採点結果送信ステップと、
を実行することを特徴とする請求項１に記載のカラオケ提供方法。
【請求項５】
前記カラオケ装置が、さらに、
前記携帯端末から音声又は楽曲の出力設定の取得要求を受付けて、前記音声又は楽曲の出力設定を前記携帯端末に送信する出力設定送信ステップを実行することを特徴とする請求項１に記載のカラオケ提供方法。
【請求項６】
前記カラオケ装置が、さらに、
前記携帯端末からカラオケに係る音声又は楽曲の出力設定要求を受付けて、前記携帯端末に記憶されたカラオケに係る音声又は楽曲の出力設定を受信し、該出力設定に従ってカラオケに係る音声又は楽曲の出力を設定する出力設定ステップを実行することを特徴とする請求項１に記載のカラオケ提供方法。
【請求項７】
前記カラオケ装置は、前記携帯端末とＢｌｕｅｔｏｏｔｈ（登録商標）により通信することを特徴とする請求項１乃至６のいずれかに記載のカラオケ提供方法。
【請求項８】
携帯端末と通信可能なカラオケ装置であって、
前記携帯端末からユーザＩＤを受付けて、その認証を行う認証手段と、
認証が成功した場合に、カラオケを使用可能状態とするとともに、前記携帯端末からの遠隔操作を受付可能状態とし、前記携帯端末に品書きを送信する初期化手段と、
前記携帯端末から前記品書きに含まれる品の注文を受付けて、注文のあった品の情報を出力する注文出力手段と、
前記注文のあった品及びカラオケの利用に係る料金を計算する料金計算手段と、
計算した料金を前記ユーザＩＤのユーザに課金する課金手段と、
を備えることを特徴とするカラオケ装置。
【請求項９】
請求項１に記載の方法を前記カラオケ装置に実行させることを特徴とするプログラム。
【発明の詳細な説明】
【技術分野】
【０００１】
本発明は、カラオケを提供するカラオケ提供方法、装置及びプログラムに関する。
【背景技術】
【０００２】
近年、カラオケ装置に付属する専用のリモコンから料理等の注文をすることができるカラオケシステムを導入するカラオケ店が増えている。
【非特許文献１】［ｏｎｌｉｎｅ］、カラオケ／パセラ詳細、［２００８年１０月２１日検索］、インターネット＜ＵＲＬ：ｈｔｔｐ：／／ｗｉｋｉ．ｔｏｍｏｃｈａ．ｎｅｔ／ｋａｒａｏｋｅ＿ｐａｓｅｌａ＿ｏｒｄｅｒｌｉｓｔ．ｈｔｍｌ＞
【発明の開示】
【発明が解決しようとする課題】
【０００３】
しかしながら、上記従来例においては、カラオケを円滑に利用することはできなかった。専用のリモコンをカラオケ店のフロントから受け取った後、このリモコンを介してカラオケの選曲をしたり、料理等の注文を行う必要があるからである。
【０００４】
本発明は、このような事情を考慮して提案されるものであり、ユーザが所有する携帯端末を介してカラオケの選曲をしたり、料理等の注文を行うことにより、カラオケを円滑に利用できるカラオケ提供方法、装置及びプログラムを提供することを目的とする。
【課題を解決するための手段】
【０００５】
上記目的を達成するために、本発明者は、所定のルールに従ってユーザが所有する携帯端末を介してカラオケの選曲をしたり、料理等の注文を行う仕組みを見出し、本発明を想到するに至った。
【０００６】
本発明に係るカラオケ提供方法は、認証が成功した場合に、カラオケを使用可能状態とするとともに、前記携帯端末からの遠隔操作を受付可能状態とし、前記携帯端末に品書きを送信することにより、カラオケを円滑に利用できるものである。
【０００７】
（１）カラオケ装置が、携帯端末からユーザＩＤを受付けて、その認証を行う認証ステップと、認証が成功した場合に、カラオケを使用可能状態とするとともに、前記携帯端末からの遠隔操作を受付可能状態とし、前記携帯端末に品書きを送信する初期化ステップと、前記携帯端末から前記品書きに含まれる品の注文を受付けて、注文のあった品の情報を出力する注文出力ステップと、注文のあった品及びカラオケの利用に係る料金を計算する料金計算ステップと、計算した料金を前記ユーザＩＤのユーザに課金する課金ステップと、を少なくとも実行することを特徴とするカラオケ提供方法。
【０００８】
ここで、携帯端末としては、例えば、携帯電話、ＰＤＡ（Ｐｅｒｓｏｎａｌ  Ｄｉｇｉｔａｌ  Ａｓｓｉｓｔａｎｔ）、ノートＰＣ（Ｐｅｒｓｏｎａｌ  Ｃｏｍｐｕｔｅｒ）等が該当する。また、品書きとしては、例えば、料理等のメニューのほか、マラカス等のレンタル品の一覧等が該当する。さらに、注文のあった品の情報を出力する方法としては、例えば、表示装置に注文のあった料理の名称の一覧を表示したり、プリンタから注文のあった料理の名称の一覧を印刷したりすることが考えられる。
【０００９】
（１）の発明によれば、認証が成功した場合に、カラオケを使用可能状態とするとともに、携帯端末からの遠隔操作を受付可能状態とし、携帯端末に品書きを送信することにより、ユーザが所有する携帯端末をカラオケのリモコンとして利用でき、かつ、料理等のオーダー端末として利用できる。このため、カラオケを円滑に利用できる。
【００１０】
（２）カラオケに係る音声、画像又は映像を記録するカラオケ記録ステップと、前記携帯端末からカラオケに係る音声、画像又は映像の取得要求を受付けて、記録した前記取得要求に係る音声、画像又は映像を前記携帯端末に送信する記録情報送信ステップと、を実行することを特徴とする（１）に記載のカラオケ提供方法。
【００１１】
（２）の発明によれば、記録した音声、画像又は映像を携帯端末に送信することにより、携帯端末がカラオケに係る音声、画像又は映像を受信して記憶するので、これらのデータを持ち運ぶことが可能となる。このため、ユーザは自宅に戻ってから、自身のカラオケに係る音声、画像又は映像を携帯端末で再生して、レビューすることができる。
【００１２】
（３）前記カラオケ装置が、さらに、前記携帯端末からカラオケに係る音声、画像又は映像のアップロード要求を受付けて、記録した前記アップロード要求に係る音声、画像又は映像を、前記アップロード要求で指定されたウェブサイトにアップロードするアップロードステップを実行することを特徴とする（２）に記載のカラオケ提供方法。
【００１３】
（３）の発明によれば、アップロード要求に係る音声、画像又は映像を、アップロード要求で指定されたウェブサイトにアップロードすることにより、カラオケに係る音声、画像又は映像を公開することができるので、自分の歌声を容易に披露することができる。
【００１４】
（４）前記カラオケ装置が、さらに、マイクから入力された音声を採点するカラオケ採点ステップと、前記携帯端末から採点結果の取得要求を受付けて、前記採点結果を前記携帯端末に送信する採点結果送信ステップと、を実行することを特徴とする（１）に記載のカラオケ提供方法。
【００１５】
（４）の発明によれば、採点結果を前記携帯端末に送信することにより、携帯端末がカラオケに係る採点結果を受信して記憶するので、カラオケに係る採点結果のデータを持ち運ぶことができる。このため、ユーザはどこでも自身のカラオケに係る採点結果を携帯端末の表示部（液晶パネル）に表示して確認することができる。また、ユーザはどこでも携帯端末の表示部により他人にその採点結果を見せることもできる。
【００１６】
（５）前記カラオケ装置が、さらに、前記携帯端末から音声又は楽曲の出力設定の取得要求を受付けて、前記音声又は楽曲の出力設定を前記携帯端末に送信する出力設定送信ステップを実行することを特徴とする請求項１に記載のカラオケ提供方法。
【００１７】
ここで、出力設定としては、例えば、音声又は楽曲の音程の設定、テンポの設定、エコーの設定等が該当する。
【００１８】
（５）の発明によれば、音声又は楽曲の出力設定を前記携帯端末に送信することにより、携帯端末がカラオケに係る音声又は楽曲の出力設定を受信して記憶するので、カラオケに係る音声又は楽曲の出力設定のデータを持ち運ぶことができる。
【００１９】
ここで、出力設定は、楽曲毎に設定するようにしてもよい。これによると、特定の楽曲のみ音声又は楽曲の出力設定を変更することができる。
【００２０】
（６）前記カラオケ装置が、さらに、前記携帯端末からカラオケに係る音声又は楽曲の出力設定要求を受付けて、前記携帯端末に記憶されたカラオケに係る音声又は楽曲の出力設定を受信し、該出力設定に従ってカラオケに係る音声又は楽曲の出力を設定する出力設定ステップを実行することを特徴とする（１）に記載のカラオケ提供方法。
【００２１】
（６）の発明によれば、携帯端末から出力設定を受信することにより、携帯端末に記憶された出力設定に従ってカラオケ装置の出力を設定するので、カラオケに係る音声又は楽曲の出力を容易に変更することができる。
【００２２】
（７）前記カラオケ装置は、前記携帯端末とＢｌｕｅｔｏｏｔｈ（登録商標）により通信することを特徴とする（１）乃至（６）のいずれかに記載のカラオケ提供方法。
【００２３】
（７）の発明によれば、所定の周波数帯の電波で情報を送受信することにより、カラオケ装置が携帯端末から所定の距離にあれば通信が可能であるので、赤外線による通信のように携帯端末の向きによってカラオケ装置が情報を送受信できなくなることはない。
【００２４】
（８）携帯端末と通信可能なカラオケ装置であって、前記携帯端末からユーザＩＤを受付けて、その認証を行う認証手段と、認証が成功した場合に、カラオケを使用可能状態とするとともに、前記携帯端末からの遠隔操作を受付可能状態とし、前記携帯端末に品書きを送信する初期化手段と、前記携帯端末から前記品書きに含まれる品の注文を受付けて、注文のあった品の情報を出力する注文出力手段と、前記注文のあった品及びカラオケの利用に係る料金を計算する料金計算手段と、計算した料金を前記ユーザＩＤのユーザに課金する課金手段と、を備えることを特徴とするカラオケ装置。
【００２５】
（９）（１）に記載の方法を前記カラオケ装置に実行させることを特徴とするプログラム。
【発明の効果】
【００２６】
この発明によれば、認証が成功した場合に、カラオケを使用可能状態とするとともに、携帯端末からの遠隔操作を受付可能状態とし、携帯端末に品書きを送信することにより、ユーザが所有する携帯端末をカラオケのリモコンとして利用でき、かつ、料理等のオーダー端末として利用できる。このため、カラオケを円滑に利用できる。
【発明を実施するための最良の形態】
【００２７】
以下、本発明を実施するための最良の形態について図を参照しながら説明する。なお、これはあくまでも一例であって、本発明の技術的範囲はこれに限られるものではない。
［カラオケ装置と関連要素の全体構成］
【００２８】
図１は、本実施形態に係るカラオケ装置１と関連要素の全体構成を示す図である。
【００２９】
本実施形態に係るカラオケ装置１、携帯端末２、店舗サーバ３、課金サーバ４及び楽曲サーバ５は、インターネット等の通信ネットワークＮに接続されている。また、携帯端末２は、Ｂｌｕｅｔｏｏｔｈ（登録商標）によりカラオケ装置１と通信することもできる。
【００３０】
カラオケ装置１は、認証が成功した場合に、携帯端末２から遠隔操作を受付けて、カラオケの選曲や、料理等の注文を受付ける。
【００３１】
携帯端末２は、認証が成功した場合に、カラオケ装置１を遠隔操作したり、料理等の注文を行う。携帯端末２は、ユーザが所有する携帯電話であって、カラオケ店舗に常備されているカラオケ装置１に付随した、カラオケ装置１を遠隔操作するためのリモコン機ではない。すなわち、携帯端末２は、日常生活で、ユーザが携帯して常備する端末である。
【００３２】
本実施形態では、携帯端末２として、Ｂｌｕｅｔｏｏｔｈ（登録商標）による通信機能を備えた携帯電話を採用している。なお、携帯端末２は、通信ネットワーク又はＢｌｕｅｔｏｏｔｈ（登録商標）を介して所定の外部サーバ（図示せず）から、カラオケ装置１を遠隔操作したり、料理等を注文したりするためのリモコンプログラムをダウンロードしてインストールしている。
【００３３】
店舗サーバ３は、後述する店舗データベース３１を備えた情報処理装置であって、一般的なコンピュータが該当する。
【００３４】
課金サーバ４は、後述する課金データベース４１を備えた情報処理装置であって、一般的なコンピュータが該当する。
【００３５】
楽曲サーバ５は、後述する楽曲データベース５１を備えた情報処理装置であって、一般的なコンピュータが該当する。
［カラオケ装置の機能構成］
【００３６】
図２は、本実施形態に係るカラオケ装置１の機能構成の概要を示す図である。本実施形態に係るカラオケ装置１は、認証手段１１と、初期化手段１２と、注文出力手段１３と、料金計算手段１４と、課金手段１５と、カラオケ記録手段１６と、記録情報送信手段１７と、アップロード手段１８と、カラオケ採点手段１９と、採点結果送信手段２０と、出力設定送信手段２１と、出力設定手段２２と、楽曲再生手段２３と、を備える。
【００３７】
認証手段１１は、携帯端末２からユーザＩＤを受付けて、その認証を行う。ここで、店舗データベース３１のユーザ情報テーブル３１１は、認証手段１１の一部を構成しており、カラオケ店を利用するユーザの情報を記憶している。ユーザ情報テーブル３１１の詳細については後述する。
【００３８】
初期化手段１２は、認証手段１１が認証に成功した場合に、カラオケを使用可能状態とするとともに、携帯端末２からの遠隔操作を受付可能状態とする。そして、初期化手段１２は、料理等の品書きを携帯端末２に送信する。ここで、店舗データベース３１の品書きテーブル３１２は、初期化手段１２の一部を構成しており、カラオケ店が提供する料理等の情報を記憶している。品書きテーブル３１２の詳細については後述する。
【００３９】
注文出力手段１３は、初期化手段１２が送信した品書きに含まれる品の注文を携帯端末２から受付けて、注文のあった品の情報を出力する。ここで、店舗データベース３１の注文テーブル３１３は、注文出力手段１３の一部を構成しており、注文のあった品の情報を記憶している。注文テーブル３１３の詳細については後述する。
【００４０】
料金計算手段１４は、注文出力手段１３が出力した注文のあった品及びカラオケの利用に係る料金を計算する。
【００４１】
課金手段１５は、料金計算手段１４が計算した料金を認証手段１１が認証に成功したユーザＩＤに対応するユーザに課金する。ここで、課金データベース４１は、課金手段１５の一部を構成しており、ユーザに対する課金の情報を記憶している。課金データベース４１の詳細については後述する。
【００４２】
カラオケ記録手段１６は、カラオケに係る音声、画像又は映像を記録する。
【００４３】
記録情報送信手段１７は、携帯端末２からカラオケに係る音声、画像又は映像の取得要求を受付けて、カラオケ記録手段１６が記録した取得要求に係る音声、画像又は映像を携帯端末２に送信する。
【００４４】
アップロード手段１８は、携帯端末２からカラオケに係る音声、画像又は映像のアップロード要求を受付けて、カラオケ記録手段１６が記録したアップロード要求に係る音声、画像又は映像を、アップロード要求で指定されたウェブサイトにアップロードする。
【００４５】
カラオケ採点手段１９は、マイクから入力された音声を採点する。
【００４６】
採点結果送信手段２０は、携帯端末２から採点結果の取得要求を受付けて、カラオケ採点手段１９が採点した採点結果を携帯端末２に送信する。
【００４７】
出力設定送信手段２１は、携帯端末２から音声又は楽曲の出力設定の取得要求を受付けて、音声又は楽曲の出力設定を携帯端末２に送信する。
【００４８】
出力設定手段２２は、携帯端末２からカラオケに係る音声又は楽曲の出力設定要求を受付けて、携帯端末２に記憶されたカラオケに係る音声又は楽曲の出力設定を受信し、この出力設定に従ってカラオケに係る音声又は楽曲の出力を設定する。
【００４９】
楽曲再生手段２３は、携帯端末２から楽曲の選曲要求を受付けて、この選曲要求に係る楽曲を再生してスピーカーから出力し、併せて、マイクから入力されたユーザの音声をスピーカーから出力する。また、楽曲再生手段２３は、選曲要求に係る楽曲の歌詞を表示装置に表示する。ここで、楽曲データベース５１は、楽曲再生手段２３の一部を構成しており、楽曲の情報を記憶している。楽曲データベース５１の詳細については後述する。
［店舗データベースの構成］
【００５０】
図３は、店舗データベース３１の構成の概要を示す図である。店舗データベース３１は、ユーザ情報テーブル３１１と、品書きテーブル３１２と、注文テーブル３１３とを備えている。以下、それぞれのテーブルの構成について説明する。
［ユーザ情報テーブルの構成］
【００５１】
ユーザ情報テーブル３１１は、予めユーザＩＤと、カラオケ装置１が認証する際に必要となるパスワードとを対応付けて記憶している。本実施形態では、ユーザＩＤとして、携帯端末２（携帯電話）の電話番号を採用している。なお、ユーザＩＤは、携帯端末２のＩＰアドレス、ＭＡＣアドレス等であってもよい。
［品書きテーブルの構成］
【００５２】
品書きテーブル３１２は、予め品ＩＤと、カラオケ店が提供する品の名称及びその単価とをそれぞれ対応付けて記憶している。カラオケ店が提供する品としては、例えば、飲食物や、マラカス等のレンタル品が該当する。
［注文テーブルの構成］
【００５３】
注文テーブル３１３は、注文を行ったユーザのユーザＩＤと、注文のあった品の品ＩＤとを対応付けて記憶している。また、注文テーブル３１３は、注文のあった品の品ＩＤと、注文のあった品の数量とを対応付けて記憶している。
［課金データベースの構成］
【００５４】
図４は、課金データベース４１の構成の概要を示す図である。課金データベース４１は、課金テーブル４１１を備えている。以下、課金テーブル４１１の構成について説明する。
［課金テーブルの構成］
【００５５】
課金テーブル４１１は、ユーザＩＤと、このユーザＩＤに対応するユーザに課金する金額とを対応付けて記憶している。
［楽曲データベースの構成］
【００５６】
図５は、楽曲データベース５１の構成の概要を示す図である。楽曲データベース５１は、楽曲テーブル５１１を備えている。以下、楽曲テーブル５１１の構成について説明する。
［楽曲テーブルの構成］
【００５７】
楽曲テーブル５１１は、予め楽曲ＩＤと、楽曲の名称及び楽曲の動画ファイルとを、それぞれ対応付けて記憶している。
［カラオケ装置のハードウェア構成図］
【００５８】
図６は、本実施形態に係るカラオケ装置１のハードウェア構成を示す図である。
【００５９】
カラオケ装置１は、バスライン５００、ＣＰＵ（Ｃｅｎｔｒａｌ  Ｐｒｏｃｅｓｓｉｎｇ  Ｕｎｉｔ）５０１、メモリ５０２、ハードディスク５０３、通信Ｉ／Ｆ（Ｉ／Ｆ：インタフェース）５０４、表示装置５０５、ビデオカメラ５０６、スピーカー５０７、マイク５０８及び楽曲再生装置５０９を備える。
【００６０】
ＣＰＵ５０１は、カラオケ装置１を統括的に制御する部分であり、ハードディスク５０３（後述）に記憶された各種プログラムを適宜読み出して実行することにより、上述したハードウェアと協働し、本発明に係る各種機能を実現している。
【００６１】
メモリ５０２は、主としてプログラムやデータを一次的に保存する。また、メモリ５０２は、電源を切ってもデータが消えない不揮発性メモリを含む。
【００６２】
ハードディスク５０３は、本ハードウェアをカラオケ装置１として機能させるための各種プログラム、本発明の機能を実行するプログラムを記憶する。なお、カラオケ装置１は、外部に別途設けたハードディスク（図示せず）を外部記憶装置として利用することもできる。
【００６３】
通信Ｉ／Ｆ５０４は、カラオケ装置１が、通信ネットワークＮ（図１）を介して楽曲サーバ５等（図１）と情報を送受信する場合のネットワーク・アダプタである。通信Ｉ／Ｆ５０４は、モデム、ケーブル・モデム及びイーサネット（登録商標）・アダプタを含んでよい。また、通信Ｉ／Ｆ５０４は、Ｂｌｕｅｔｏｏｔｈ（登録商標）により通信を行うためのインターフェースを含む。
【００６４】
表示装置５０５は、楽曲再生装置５０９が再生する楽曲のビデオ（歌詞を含む）の映像や、ビデオカメラ５０６で記録した映像等を表示する。
【００６５】
ビデオカメラ５０６は、楽曲を歌っているユーザの映像を記録する。
【００６６】
スピーカー５０７は、楽曲再生装置５０９が再生した楽曲及びマイクから入力された音声を出力する。
【００６７】
マイクは５０８、楽曲を歌っているユーザの音声を入力する。
【００６８】
楽曲再生装置５０９は、楽曲ファイルを再生する装置であって、ＭＰＥＧデコーダーなどが該当する。
【００６９】
なお、本発明でいうコンピュータとは、メモリ５０２等の記憶装置、ＣＰＵ５０１等の制御部を備えた情報処理装置をいい、カラオケ装置１は、記憶装置、制御部等を備えた情報処理装置により構成され、この情報処理装置は、本発明のコンピュータの概念に含まれる。また、カラオケ装置１は、テレビ受信機に接続されたセットトップボックスであってもよい。
【００７０】
このカラオケ装置１では、制御部が主として認証手段１１、初期化手段１２、注文出力手段１３、料金計算手段１４、課金手段１５、アップロード手段１８、カラオケ採点手段１９、出力設定手段２２、楽曲再生手段２３に対応し、ビデオカメラが主としてカラオケ記録手段１６に対応し、通信Ｉ／Ｆ３３０が主として記録情報送信手段１７、採点結果送信手段２０、出力設定送信手段２１に対応する。
［初期化処理］
【００７１】
図７は、本発明の実施形態に係る初期化処理のフローチャートを示している。
【００７２】
Ｓ１：カラオケ装置１は、Ｂｌｕｅｔｏｏｔｈ（登録商標）により、携帯端末２を検索してペアリングを確立する。
【００７３】
Ｓ２：携帯端末２は、認証要求をカラオケ装置１に送信する。ここで、認証要求は、ユーザＩＤ「０９０１１１１ＸＸＸＸ」及びパスワード「＊＊＊＊」を含んでいる。
【００７４】
Ｓ３：認証手段１１は、携帯端末２から認証要求を受付けて、「ユーザＩＤ」のフィールドの値が認証要求に係るユーザＩＤ「０９０１１１１ＸＸＸＸ」と一致し、かつ、「パスワード」フィールドの値が認証要求に係る「＊＊＊＊」と一致するレコードをユーザ情報テーブル３１１から検索する。認証手段１１は、検索条件を満たすレコードが発見された場合に、認証が成功したと判断する。なお、認証手段１１は、セッション情報のように認証が成功したユーザＩＤを記憶装置に記憶する。
【００７５】
Ｓ４：初期化手段１２は、認証手段１１が認証に成功した場合に、カラオケを使用可能状態とするとともに、携帯端末２からの遠隔操作を受付可能状態とする。具体的には、例えば、初期化手段１２は、認証手段１１が認証に成功したと判断した場合に、楽曲再生手段２３への電源供給を行い、かつ、カラオケ装置１に対するコマンドの実行を許可する。
【００７６】
Ｓ５：初期化手段１２は、品書きテーブル３１２に記憶された品名フィールドの値及び単価フィールドの値に基づいて注文フォーム（品書き）を作成する。そして、初期化手段１２は、作成した注文フォームを携帯端末２に送信する。
【００７７】
Ｓ６：携帯端末２は、注文フォームをカラオケ装置１から受信して、メモリに記憶する。
［注文出力処理］
【００７８】
図８は、本発明の実施形態に係る注文出力処理のフローチャートを示している。
【００７９】
Ｓ１１：携帯端末２は、所定のボタン等が押下された場合に、メモリから注文フォームを読み出して、液晶パネルに表示する。
【００８０】
Ｓ１２：携帯端末２は、注文フォームから注文の品「ビール」の品ＩＤ「００１」及びその数量「２」を受付けて、カラオケ装置１に送信する。
【００８１】
Ｓ１３：注文出力手段１３は、携帯端末２から上記注文の情報を受信する。そして、注文出力手段１３は、受信した注文の情報を厨房等に設置された表示装置に表示する。また、注文出力手段１３は、ユーザＩＤフィールドの値を認証手段１１が記憶装置に記憶したユーザＩＤ「０９０１１１１ＸＸＸＸ」とし、品ＩＤフィールドの値を受信した品ＩＤ「００１」とし、数量フィールドの値を受信した数量「２」とするレコードを注文テーブル３１３に追加する。ここで、注文出力手段１３は、携帯端末２から注文の情報と併せてユーザＩＤを再度受信するようにしてもよい。これによると、カラオケ装置１にユーザＩＤ等の個人情報を記憶する必要がないので、個人情報の漏洩のリスクを低減することができる。
【００８２】
［課金処理］
【００８３】
図９は、本発明の実施形態に係る課金処理のフローチャートを示している。
【００８４】
Ｓ２１：携帯端末２は、所定のボタン等が押下された場合に、勘定要求をカラオケ装置１に送信する。
【００８５】
Ｓ２２：料金計算手段１４は、勘定要求を携帯端末２から受信して、ユーザＩＤフィールドの値が、認証手段１１が記憶装置に記憶したユーザＩＤ「０９０１１１１ＸＸＸＸ」と一致するレコードを注文テーブル３１３から抽出する。また、料金計算手段１４は、品ＩＤフィールドの値が注文テーブル３１３から抽出したレコードの品ＩＤの値（「００１」、「００２」等）と一致するレコードを品書きテーブル３１２から抽出する。そして、料金計算手段１４は、注文テーブル３１３から抽出したレコードの数量フィールドの値（「２」、「１」等）に品書きテーブル３１２から抽出したレコードの単価フィールドの値（「５００」、「７００」等）を乗じた額の総和「１７００」（円）を計算する。料金計算手段１４は、計算結果「１７００」に記憶装置に予め記憶された店舗毎のカラオケの利用料金「１５００」（固定）を加算した額「３２００」（円）を合計金額とする。ここで、予め記憶装置に記憶された時間あたりのカラオケの利用単価に認証が成功してから勘定要求を受信するまでの時間を乗じた額をカラオケの利用料金としてもよい。料金計算手段１４は、計算した合計金額「３２００」円を課金手段１５に渡す。
【００８６】
ここで、料金計算手段１４は、勘定要求に係るユーザＩＤを再度受信するようにしてもよい。これによると、カラオケ装置１にユーザＩＤ等の個人情報を記憶する必要がないので、個人情報の漏洩のリスクを低減することができる。
【００８７】
Ｓ２３：課金手段１５は、ユーザＩＤフィールドの値を、認証手段１１が記憶装置に記憶したユーザＩＤ「０９０１１１１ＸＸＸＸ」とし、金額フィールドの値を料金計算手段１４から受け取った合計金額「３２００」（円）とするレコードを課金テーブル４１１に追加する。課金手段１５は、定期的に課金テーブル４１１のレコードを抽出して、外部の決済システムに送信する。外部の決済システムとしては、例えば、クレジット会社や携帯電話会社の決済システム等が該当する。特に、外部の決済システムが、携帯電話会社の決済システムである場合には、ユーザＩＤが携帯電話の電話番号であるので、携帯電話の利用料金にカラオケに係る合計金額を加算して決済することができる。
【００８８】
［記録情報送信処理］
【００８９】
図１０は、本発明の実施形態に係る記録情報送信処理のフローチャートを示している。
【００９０】
Ｓ３１：携帯端末２は、所定のボタン等が押下された場合に、カラオケに係る音声、画像又は映像の記録要求をカラオケ装置１に送信する。
【００９１】
Ｓ３２：カラオケ記録手段１６は、記録要求を携帯端末２から受信して、ビデオカメラから入力された映像と、楽曲再生手段２３が再生した楽曲と、マイクから入力された音声とを動画ファイルとして記憶装置に記憶する。
【００９２】
Ｓ３３：携帯端末２は、所定のボタン等が押下された場合に、カラオケに係る音声、画像又は映像の取得要求をカラオケ装置１に送信する。
【００９３】
Ｓ３４：記録情報送信手段１７は、カラオケに係る音声、画像又は映像の取得要求を携帯端末２から受信して、カラオケ記録手段１６が記憶装置に記憶した動画ファイルを携帯端末２に送信する。
【００９４】
Ｓ３５：携帯端末２は、動画ファイルをカラオケ装置１から受信して、メモリに記憶する。
【００９５】
Ｓ３６：携帯端末２は、所定のボタン等が押下された場合に、メモリに記憶した動画ファイルを再生する。ここで、携帯端末２は、外部のテレビ受信機への出力インターフェース（音声及び映像の出力端子等）を備え、音声ケーブル及びディスプレイケーブルによりテレビ受信機と接続するようにしてもよい。これによると、携帯端末２で再生したカラオケに係る音声、画像又は映像をテレビ受信機に出力することができる。また、携帯端末２は、外部のＰＣへの接続インターフェース（ＵＳＢ等）を備え、ＵＳＢケーブル等によりＰＣと接続するようにしてもよい。これによると、携帯端末２が、メモリに記憶した動画ファイルをＰＣに転送してＰＣの記憶装置に記憶することにより、ＰＣでこの動画ファイルを再生することができる。  
【００９６】
なお、携帯端末２が、付属するカメラ及びマイクにより、カラオケに係る音声、画像又は映像を動画ファイルとしてメモリに記憶してもよい。
［アップロード処理］
【００９７】
図１１は、本発明の実施形態に係るアップロード処理のフローチャートを示している。
【００９８】
Ｓ４１：携帯端末２は、所定のボタン等が押下された場合に、カラオケに係る音声、画像又は映像のアップロード要求をカラオケ装置１に送信する。ここで、アップロード要求は、アップロードする画像ファイルのファイルＩＤと、アップロード先のウェブサイトのサイトＩＤとを含んでいる。
【００９９】
Ｓ４２：アップロード手段１８は、アップロード要求を携帯端末２から受信して、アップロード要求に係るファイルＩＤに対応する動画ファイルを記憶装置から読み出して、アップロード要求に係るサイトＩＤに対応するウェブサイトにアップロードする。
【０１００】
なお、アップロード手段１８は、アップロード要求に係る動画ファイルを携帯端末２から受信して、この動画ファイルをアップロード要求に係るサイトＩＤに対応するウェブサイトにアップロードするようにしてもよい。
［採点結果送信処理］
【０１０１】
図１２は、本発明の実施形態に係る採点結果送信処理のフローチャートを示している。
【０１０２】
Ｓ５１：カラオケ採点手段１９は、マイクから入力された音声を予め記憶装置に記憶された模範音声のデータと比較して採点を行い、その採点結果を記憶装置に記憶する。
【０１０３】
Ｓ５２：携帯端末２は、所定のボタン等が押下された場合に、採点結果の取得要求をカラオケ装置１に送信する。
【０１０４】
Ｓ５３：採点結果送信手段２０は、採点結果の取得要求を携帯端末２から受信して、カラオケ採点手段１９が記憶装置に記憶した採点結果を携帯端末２に送信する。
【０１０５】
Ｓ５４：携帯端末２は、採点結果をカラオケ装置１から受信して、メモリに記憶する。
【０１０６】
Ｓ５５：携帯端末２は、所定のボタン等が押下された場合に、メモリに記憶した採点結果を液晶パネルに表示する。
［出力設定処理］
【０１０７】
図１３は、本発明の実施形態に係る出力設定処理のフローチャートを示している。
【０１０８】
Ｓ６１：携帯端末２は、所定のボタン等が押下された場合に、音声又は楽曲の出力設定の取得要求をカラオケ装置１に送信する。
【０１０９】
Ｓ６２：出力設定送信手段２１は、音声又は楽曲の出力設定の取得要求を携帯端末２から受信して、楽曲再生手段２３が再生している楽曲及びマイクから入力された音声の出力設定を携帯端末２に送信する。
【０１１０】
Ｓ６３：携帯端末２は、出力設定をカラオケ装置１から受信して、メモリに記憶する。
【０１１１】
Ｓ６４：その後、携帯端末２は、所定のボタン等が押下された場合に、音声又は楽曲の出力設定要求をカラオケ装置１に送信する。ここで、出力設定要求は、メモリに記憶した出力設定の情報を含む。
【０１１２】
Ｓ６５：出力設定手段２２は、音声又は楽曲の出力設定要求を携帯端末２から受信して、出力設定要求に係る受信した出力設定に従って、音声又は楽曲の出力を設定する。
【０１１３】
以上説明したように、認証が成功した場合に、カラオケを使用可能状態とするとともに、携帯端末からの遠隔操作を受付可能状態とし、携帯端末に注文フォーム（品書き）を送信することにより、ユーザが所有する携帯端末をカラオケのリモコンとして利用でき、かつ、料理等のオーダー端末として利用できる。このため、カラオケを円滑に利用できる。
【０１１４】
以上、本発明の実施形態について説明したが、本発明は上述した実施形態に限るものではない。
【０１１５】
例えば、本発明の実施形態では、リモコンプログラム（専用アプリ）をダウンロードしてインストールしているが、リモコンプログラムの代わりにウェブアプリを採用してもよい。
【０１１６】
本発明の実施形態に記載された効果は、本発明から生じる最も好適な効果を列挙したに過ぎず、本発明による効果は、本発明の実施例に記載されたものに限定されるものではない。
【図面の簡単な説明】
【０１１７】
【図１】本実施形態に係るカラオケ装置と関連要素の全体構成を示す図である。
【図２】本実施形態に係るカラオケ装置の機能構成の概要を示す図である。
【図３】店舗データベースの構成の概要を示す図である。
【図４】課金データベースの構成の概要を示す図である。
【図５】楽曲データベースの構成の概要を示す図である。
【図６】本実施形態に係るカラオケ装置のハードウェア構成を示す図である。
【図７】本発明の実施形態に係る初期化処理のフローチャートを示している。
【図８】本発明の実施形態に係る注文出力処理のフローチャートを示している。
【図９】本発明の実施形態に係る課金処理のフローチャートを示している。
【図１０】本発明の実施形態に係る記録情報送信処理のフローチャートを示している。
【図１１】本発明の実施形態に係るアップロード処理のフローチャートを示している。
【図１２】本発明の実施形態に係る採点結果送信処理のフローチャートを示している。
【図１３】本発明の実施形態に係る出力設定処理のフローチャートを示している。
【符号の説明】
【０１１８】
１  カラオケ装置
２  携帯端末
３  店舗サーバ
４  課金サーバ
５  楽曲サーバ
１１  認証手段
１２  初期化手段
１３  注文出力手段
１４  料金計算手段
１５  課金手段
１６  カラオケ記録手段
１７  記録情報送信手段
１８  アップロード手段
１９  カラオケ採点手段
２０  採点結果送信手段
２１  出力設定送信手段
２２  出力設定手段
２３  楽曲再生手段
３１  店舗データベース
４１  課金データベース
５１  楽曲データベース
３１１  ユーザ情報テーブル
３１２  品書きテーブル
３１３  注文テーブル
４１１  課金テーブル
５１１  楽曲テーブル
【図１】
2010112982.tif 000003
【図２】
2010112982.tif 000004
【図３】
2010112982.tif 000005
【図４】
2010112982.tif 000006
【図５】
2010112982.tif 000007
【図６】
2010112982.tif 000008
【図７】
2010112982.tif 000009
【図８】
2010112982.tif 000010
【図９】
2010112982.tif 000011
【図１０】
2010112982.tif 000012
【図１１】
2010112982.tif 000013
【図１２】
2010112982.tif 000014
【図１３】
2010112982.tif 000015